(57)【特許請求の範囲】
【請求項１】
基部と、
前記基部から水平方向の一方の側に向けて傾斜しつつ上方へ延出する斜め柱と、
前記斜め柱の傾斜側において該斜め柱と前記基部との間に介装された下部束部材と、
前記斜め柱の上端部に連結され、前記上端部に対して前記一方の側とその反対側の他方の側とに向かってそれぞれ張り出す上部架構部材と、
引張力が導入され、前記上部架構部材の前記他方の側と前記斜め柱の下端部又は前記基部との間に張設された緊張材と、
を備えた斜め柱架構。
【請求項２】
前記斜め柱は、該斜め柱の中間部と前記上部架構部材との間に上部束部材をさらに備えることを特徴とする、請求項１に記載の斜め柱架構。
【請求項３】
前記斜め柱の前記上端部と前記上部架構部材との間、及び前記斜め柱の前記下端部と前記基部との間は、それぞれが軸着されていることを特徴とする請求項１または２に記載の斜め柱架構。
【請求項４】
前記斜め柱から前記一方の側に向かって延びるスタンド支持梁部材をさらに備え、
前記下部束部材は、前記スタンド支持梁部材に向かって延び、前記スタンド支持梁部材を支持する梁支持部を有している、請求項１から３のいずれか一項に記載の斜め柱架構。
【発明の詳細な説明】
【技術分野】
【０００１】
本発明は、屋外施設に設けられる屋根及び観客席部分を支える斜め柱架構に関する。
【背景技術】
【０００２】
各種のスポーツ、競技、催し物等を行うフィールドを有した屋外施設の多くには、フィールドの周囲に、観客スタンドが設けられている。このような観客スタンドは、複数の観客席と、これら複数の観客席の上方を覆う屋根と、を備えたものがある。
特許文献１は斜め柱で支持された大規模屋根架構付き構造物であって、底面部（フィールド）の周囲を包囲するように法面部が設けられ、法面部の上方に構築される屋根架構と、屋根架構を「ハ」字形に傾斜した斜め柱で支持する架構が開示されている。
【０００３】
特許文献２は建物の外周部構造であって、建物の各層ごとに、外周梁と、その外周梁を支持する、鉛直方向にジグザグ状に連続した斜め柱で支持された外周柱梁架構が開示されている。
【０００４】
従来、観客スタンドを支持する柱梁架構は、観客席からフィールドを見るときの視野を妨げないよう、屋根を支持する支柱は、観客席の後方に設けられ、屋根の後部側を支持することが多い。また、屋根は、観客スタンドを覆うようにその前端部が前方のフィールド側に張り出すように設けられる。
【先行技術文献】
【特許文献】
【０００５】
【特許文献１】特開２０１４−６９１２１号公報
【特許文献２】特開２０１１−２６８３５号公報
【発明の概要】
【発明が解決しようとする課題】
【０００６】
上記の従来技術を踏まえて、本発明は、屋根を斜め柱で支持した構成において、柱を太くすることなく、曲げモーメント抵抗性を改善することを目的として、屋根部分を斜め柱と、その斜め柱に併設させた緊張材とで支持する斜め柱架構を提供することを目的とする。
【課題を解決するための手段】
【０００７】
第一の発明の斜め柱架構は、基部（例えば、後述の下部構造２）と、前記基部から水平方向の一方の側に向けて傾斜しつつ上方へ延出する斜め柱（例えば、後述の斜め柱３１）と、前記斜め柱の傾斜側において該斜め柱と前記基部との間に介装された下部束部材（例えば、後述の下部束部材３５）と、前記斜め柱の上端部に連結され、前記上端部に対して前記一方の側とその反対側の他方の側とに向かってそれぞれ張り出す上部架構部材（例えば、後述の屋根架構３０）と、引張力が導入され、前記上部架構部材の前記他方の側と前記斜め柱の下端部又は前記基部との間に張設された緊張材（例えば、後述のテンションケーブル３２）と、を備えることを特徴とする。
【０００８】
本発明によれば、斜め柱架構では、斜め柱の一方側（スタンド側）に働く曲げモーメントは他端側に設けた緊張材で抵抗するので、斜め柱を太くすることなく曲げモーメント抵抗性を改善できる。
また、斜め柱は、傾斜側においては下部束部材で支持されるとともに、非傾斜側には引張力が導入された緊張材が設けられており、その緊張材により上部架構部材を介して曲げ戻されることで、鉛直荷重によって斜め柱に生じた曲げモーメント量の一部が相殺される。これによって、斜め柱の上端部に生じる鉛直変位量が低減され、構造安定性が確保されることで、斜め柱の断面積を小さくすることができる。また、下部束部材は、斜め柱の傾斜側を下方側から支えることで、斜め柱に生じる過大な変形を抑止することができる。加えて、下部束部材は観客スタンドの下方に設けるので、視野の妨げにならない。
【０００９】
第二の発明の斜め柱架構では、第一の発明の斜め柱架構に加えて、前記斜め柱は、該斜め柱の中間部と前記上部架構部材との間に上部束部材（例えば、後述の上部束部材３３）をさらに備えることを特徴とする。
この上部束部材により、斜め柱が自重によって傾斜側に傾くのを、上方側に引き上げるようにして支持することができる。
【００１０】
第三の発明の斜め柱架構では、第一の発明または第二の発明の斜め柱架構に加えて、前記斜め柱の前記上端部と前記上部架構部材との間、及び前記斜め柱の前記下端部と前記基部との間は、それぞれが軸着（例えば、後述のピン３９、４１）されていることを特徴とする。
このように、斜め柱と基部、及び斜め柱と上部架構部材とを其々軸着して回動自在に連結することによって、これらを剛接合する場合に比べて、接合度合いを弱めることができる。これにより、地震時に生じる水平荷重に対する斜め柱の抵抗分を低下させることができる。具体的には、斜め柱の両端部に生じる曲げモーメント量を低下させることができる。
また、上部束部材の両端部をピン接合部、またはピン接合に近い接合度合いとすることで、地震時に生じる水平荷重により上部束部材に生じる曲げモーメントを低下させることができる。
【００１１】
第四の発明の斜め柱架構は、第一から第三の発明の斜め柱架構に加えて、前記斜め柱から前記一方の側に向かって延びるスタンド支持梁部材（例えば、後述のスタンド支持梁部材４５）をさらに備え、前記下部束部材は、前記スタンド支持梁部材に向かって延び、前記スタンド支持梁部材を支持する梁支持部（例えば、後述の梁支持部５０）を有していることを特徴とする。
このようにして、梁支持部によって支持されたスタンド支持梁部材上に観客席を設けることで、観客席を斜め柱から一方の側に大きく張り出して設置することが可能となる。
【００１２】
下部束部材は、下端部が前記基部に剛接合され、上端部が前記斜め柱の前記上端部と前記下端部との間の中間部に対して軸着され、前記斜め柱の中心軸を含む鉛直面内で回動自在に連結されていることを特徴とする。下部束部材の上端部が斜め柱に軸着により連結されていることで、下部束部材の上端部に生じる曲げモーメント量を低下させることができる。
【発明の効果】
【００１３】
本発明によれば、引張力が導入された緊張材により上部架構部材を介して斜め柱を曲げ戻すことで、鉛直荷重によって斜め柱に生じた曲げモーメント量の一部が相殺される。また、斜め柱の上端部に生じる鉛直変位量が低減され、構造安定性が確保されることで、斜め柱の断面積を小さくすることができる。したがって、上部架構部材を斜め柱で支持した構成においても、斜め柱の断面積を縮小して細くし、斜め柱によって視野が妨げられるのを防ぎ、眺望を向上させることが可能となる。
【図面の簡単な説明】
【００１４】
【図１】本実施形態に係る斜め柱架構を適用した観客スタンドの一例を示す側断面図である。
【図２】観客スタンドの上部構造を示す側断面図である。
【図３】観客スタンドの上部構造を示す斜視図である。
【図４】斜め柱およびテンションケーブルの下端部の接合構造を示す側断面図である。
【図５】斜め柱の上端部の接合構造を示す側面図である。
【図６】テンションケーブルの上端部の連結構造を示す側断面図である。
【図７】下部束部材と下部構造との接合構造を示す断面図である。
【図８】本実施形態に係る斜め柱架構における部材応力と変位量の模式図である。（ａ）は鉛直荷重作用時の模式図であり、（ｂ）はプレストレス導入時の模式図で、（ｃ）は常時荷重時の部材応力と変位量の模式図である。
【図９】本実施形態に係る斜め柱架構を適用した観客スタンドの変形例を示す斜視図である。
【発明を実施するための形態】
【００１５】
本発明の斜め柱架構は、斜め柱架構が配置される下部構造（基部）と、斜め柱と、斜め柱の傾斜側において斜め柱と基部との間に設ける下部束部材と、斜め柱の非傾斜側に設ける引張力が導入された緊張材と、斜め柱の柱上部と接合される上部架構部材と、を備えることを必須とする。実施形態では、前述の必須の構成要素に加えて、上部架構部材の下方側に観客席スタンドまたはサブフロア等を設ける。
以下、添付図面を参照して、本発明による斜め柱架構を実施するための形態について、図面に基づいて説明する。
【００１６】
図１は、本実施形態に係る斜め柱架構を適用した観客スタンドの一例を示す側断面図である。図２は、観客スタンドの上部構造を示す側断面図である。図３は、観客スタンドの上部構造を示す斜視図である。
図１に示すように、スポーツ、競技、催し物等を行うフィールドＦの周囲に設けられる観客スタンド１は、地盤Ｇ上に構築された下部構造（基部）２と、下部構造２上に構築された上部構造３と、を備える。
【００１７】
下部構造２は、地盤Ｇ中に形成された基礎２０上に支持された複数本の柱２１と、これら柱２１によって支持された１層以上のスラブを支持する大梁２２と、を備えている。さらに、下部構造２は、大梁２２のフィールドＦ側に設けられた下部スタンド席２３を備えている。下部スタンド席２３は、大梁２２からフィールドＦ側に向かって漸次下方に延びるように傾斜して形成されている。
【００１８】
図１〜図３に示すように、上部構造３は、上部架構部材（屋根架構）３０と、斜め柱３１と、テンションケーブル（緊張材）３２と、上部束部材３３と、上部観客スタンド３４と、下部束部材３５と、を備えている。
【００１９】
屋根架構３０は、図示しない板状の屋根材と、屋根材を支持する鉄骨からなる屋根梁３６と、を備えている。屋根梁３６は、フィールドＦの外周部に沿った方向に間隔を空けて複数本が配置されている。各屋根梁３６は、後端部３６ａから先端部３６ｂに向かってフィールドＦ側に張り出すよう延びるよう設けられている。各屋根梁３６は、後に詳述する斜め柱３１、テンションケーブル３２、上部束部材３３によって支持されている。
【００２０】
斜め柱３１は、フィールドＦの外周部に沿った方向に間隔を空けて、複数本が、各屋根梁３６に対応した位置に配置されている。斜め柱３１は、プレキャスト鉄筋コンクリート製で、下端部３１ａが下部構造２の大梁２２に支持され、下端部３１ａから上端部３１ｂに向かって、フィールドＦ側に傾斜しつつ上方に延出している。
【００２１】
図４は、斜め柱およびテンションケーブルの下端部の接合構造を示す側断面図である。
図４に示すように、大梁２２上の所定位置には、斜め柱３１の下端部３１ａが連結されるブラケット３７が、大梁２２に定着された複数本のボルト３８によって固定されている。斜め柱３１の下端部３１ａには、下部ジョイントプレート３１ｐが設けられ、この下部ジョイントプレート３１ｐが、ブラケット３７に対し、水平方向に延在するピン３９を介して、ピン３９の軸線に直交する鉛直面内で回動自在に連結されている。
本実施形態では、軸着による連結方法の１つとして、例えば、大梁２２に連結されたブラケット３７と、斜め柱３１の下端部３１ａに設けられた下部ジョイントプレート３１ｐがピン３９で連結され、双方の部材同士がピン３９で支持されるものとする。以後、軸着とは、部材同士をピン接合する連結方法を含むものとする。
また、軸着による他の連結方法として、貫通孔を有する部材に、他方部材の一部を貫通させ、双方の部材同士を金物で連結させる場合がある。
よって、本明細書では、軸着による連結方法とは、連結する一方の部材が他方部材との連結部分において、一方の部材が材軸方向と直交する面内に回動自在に連結されているものと定義する。
また、ピン接合に近い接合度合いとは、部材同士の接合部において、一方部材が面内方向に回転自在に連結されている状態ではないが、部材同士が金物を介して連結されている、または部材端部の突起部が他方部材の凹部に嵌合されており、部材の回転変形を一定量許容する接合方法とする。
【００２２】
図５は、斜め柱の上端部の接合構造を示す側面図である。
図５に示すように、斜め柱３１の上端部３１ｂには、上部ジョイントプレート３１ｑが設けられている。この上部ジョイントプレート３１ｑは、屋根架構３０の屋根梁３６の下面にボルト接合されたブラケット４０に対し、水平方向に延在するピン４１を介して、ピン４１の軸線に直交する鉛直面内で回動自在に連結されている。ここで、ブラケット４０は、屋根梁３６の後端部３６ａと先端部３６ｂとの中間部よりも後端部３６ａ側にオフセットした位置に設けられている。これにより、屋根梁３６は、斜め柱３１の上端部３１ｂに対し、先端部３６ｂが一方の側に張り出し、後端部３６ａが他方の側に張り出している。
【００２３】
また、斜め柱３１は、下端部３１ａと上端部３１ｂとの間の中間部３１ｃが、その断面積が最も大きく形成され、中間部３１ｃから下端部３１ａおよび上端部３１ｂにそれぞれ向かうにしたがって、その断面積が漸次小さくなるように形成されている。
【００２４】
図４に示すように、テンションケーブル３２は、鋼製ケーブルからなり、その下端部３２ａが、斜め柱３１の下端部３１ａが連結されたブラケット３７に、ピン４２を介して回動自在に連結されている。
図６は、テンションケーブルの上端部の連結構造を示す側断面図である。
図６に示すように、テンションケーブル３２の上端部３２ｂは、屋根梁３６の後端部３６ａに形成された貫通孔３６ｈに挿通されて屋根梁３６の上方に突出している。さらに、テンションケーブル３２の上端部３２ｂには、テンションケーブル３２に予め定めた緊張力が導入された状態で、貫通孔３６ｈの内径よりも大きな外径を有した座金４３Ａおよび定着金具４３Ｂが定着されている。
【００２５】
図２に示すように、上部束部材３３は、鉄骨からなり、その下端部３３ａが、斜め柱３１の中間部３１ｃの後方を向く側に突出形成された台座部３１ｄに連結固定されている。上部束部材３３は、下端部３３ａから上端部３３ｂに向かってほぼ鉛直上方に向かって延伸させて設けられている。上部束部材３３は、上端部３３ｂが、屋根梁３６の下面に連結固定されている。上部束部材３３の上端部３３ｂは、屋根梁３６に対し、斜め柱３１の上端部３１ｂの連結位置と、テンションケーブル３２の上端部３２ｂの連結位置との間において連結されている。
【００２６】
上部観客スタンド３４は、スタンド支持梁部材４５と、観客席部材４６と、を備えている。
スタンド支持梁部材４５は、鉄筋コンクリート造で、斜め柱３１に対し、フィールドＦを向く側に設けられている。スタンド支持梁部材４５は、基端部４５ａが斜め柱３１の中間部３１ｃにおいてフィールドＦに設けられた膨出部３１ｅに一体に連結されている。スタンド支持梁部材４５は、基端部４５ａからフィールドＦ側の先端部４５ｂに向かって斜め下方に延びるよう設けられている。
観客席部材４６は、スタンド支持梁部材４５上に、階段状に設けられており、観客は、観客席部材４６の各段に着座できるようになっている。
【００２７】
下部束部材３５は、斜め柱３１の中間部３１ｃを下方から支持する。下部束部材３５は、上端部３５ａにジョイントプレート３５ｐが設けられている。斜め柱３１の中間部３１ｃに設けられた膨出部３１ｅには、ブラケット４７が設けられ、ジョイントプレート３５ｐは、ブラケット４７にピン４８を介して回動自在に連結されている。これにより、下部束部材３５は、上端部３５ａがピン４８を介して斜め柱３１の中間部３１ｃに軸着され、回動自在に連結されている。
図７は、下部束部材の下端部の下部構造への接合構造を示す断面図である。
図７に示すように、下部束部材３５の下端部３５ｂは、複数本のＰＣ鋼棒４９を介し、大梁２２上に固定されている。各ＰＣ鋼棒４９には、施工時に張力が導入され、これによって、下部束部材３５の下端部３５ｂは、大梁２２に剛接合されている。
【００２８】
また、図２に示すように、下部束部材３５には、下端部３５ｂから上方に向かってフィールドＦ側に傾斜し、スタンド支持梁部材４５を支持する梁支持部５０が一体に設けられている。これにより、下部束部材３５は、下部束部材３５自体と梁支持部５０とが略Ｖ字状に形成されている。
梁支持部５０は、その上端部５０ａにジョイントプレート５０ｐが設けられている。
スタンド支持梁部材４５の基端部４５ａと先端部４５ｂとの間の中間部４５ｃには、ブラケット５１が設けられ、ジョイントプレート５０ｐは、ブラケット５１に対し、ピン５２を介して回動自在に連結されている。これにより、梁支持部５０は、スタンド支持梁部材４５の中間部４５ｃに対し、ピン５２を介して軸着され、回動自在に連結されている。
【００２９】
図３に示すように、フィールドＦの外周部に沿った方向において互いに隣接する斜め柱３１，３１の中間部３１ｃ，３１ｃ間、スタンド支持梁部材４５，４５の中間部４５ｃ，４５ｃ間には、それぞれフィールドＦの外周方向に連続する横梁６０、６１が設けられている。
また、フィールドＦの外周部に沿った方向において互いに隣接する屋根梁３６，３６、斜め柱３１，３１どうしは、それぞれ、トラス状、あるいはブレース状に設けられた連結部材６２、６３によって互いに連結されている。
【００３０】
上記したような上部構造３において、屋根架構３０の下方に、放送席、スタッフルーム等を設けるためのサブフロア７０を設けることもできる。
サブフロア７０は、斜め柱３１に連結固定された床梁７１と、床梁７１から上方に延び、屋根梁３６あるいは上方の他の床梁７１に吊下された支柱７２と、を備えている。
【００３１】
図８は、本実施形態の斜め柱架構における部材応力と変位量の模式図である。（ａ）は鉛直荷重作用時の模式図であり、（ｂ）はプレストレス導入時の模式図で、（ｃ）は常時荷重時の部材応力と変位量の模式図である。
図８（ａ）に示すように、上部構造３においては、屋根架構３０は、屋根梁３６の中間部が斜め柱３１によって支持され、屋根梁３６の後端部３６ａにテンションケーブル３２による下方への張力が作用し、さらに、屋根梁３６には、斜め柱３１の連結位置とテンションケーブル３２の連結位置との間に設けられた上部束部材３３が連結されている。このような構成において、斜め柱３１の材軸方向の中央付近には、屋根架構３０の鉛直荷重による曲げモーメントＭＧが作用する。一方、図８（ｂ）に示すように、屋根梁３６の後端部３６ａに連結されたテンションケーブル３２により、屋根梁３６には、後端部３６ａを下方に向かってプレストレス荷重Ｐが作用している。このプレストレス荷重Ｐにより斜め柱３１の上端部では、水平成分δＹＰが生じて、屋根梁３６が曲げ戻されて曲げモーメントＭＰが相殺される（ＭＧ＋ＭＰ＝０）。これによって、図８（ｃ）に示すように、斜め柱３１の上端部３１ｂに生じる鉛直変位量δＺｔと水平変位量δＹｔが低減される（δＺｔ＝δＺＧ＋δＺＰ、δＹｔ＝δＹＧ＋δＹＰ）。
【００３２】
上述した本実施形態の斜め柱架構は、図１に示すように、下部構造２と、下部構造２から水平方向の一方の側に向けて傾斜しつつ上方へ延出する斜め柱３１と、斜め柱３１に対して一方の側において斜め柱３１と下部構造２との間に介装された下部束部材３５と、斜め柱３１の上端部３１ｂに連結され、上端部３１ｂに対して一方の側とその反対側の他方の側とに向かってそれぞれ張り出す屋根梁３６と、プレストレスが導入され、屋根梁３６と斜め柱３１の下端部３１ａ又は下部構造２との間に張設されたテンションケーブル３２と、を備える。
このような構成によれば、屋根梁３６を支持する斜め柱３１は、下部束部材３５によって支持されて、斜めに立設されている。この斜め柱３１の上端部３１ｂには、屋根梁３６による鉛直荷重による曲げモーメントＭが作用する。屋根梁３６には、テンションケーブル３２により、プレストレス荷重Ｐが作用しており、このプレストレス荷重Ｐにより、屋根梁３６が曲げ戻されて曲げモーメントＭの少なくとも一部が相殺される。これによって、斜め柱３１の上端部３１ｂに生じる鉛直変位量が低減され、構造安定性が確保される。したがって、斜め柱３１の断面積を大きくすることなく曲げモーメント抵抗性を改善できる。その結果、フィールドＦ側に大きく張り出した屋根梁３６を斜め柱３１で支持した構成においても、斜め柱３１の断面積を縮小して細くすることができ、斜め柱３１によってフィールドＦ側の視野が妨げられるのを防ぎ、眺望を向上させることが可能となる。
また、緊張材に可とう性を備えたテンションケーブル３２を使用することで、揚重が容易になるとともに、緊張材の中間部分などに継ぎ手部を設ける必要がなくなり、作業工程を短縮できる。
【００３３】
また、斜め柱３１の上端部３１ｂ及び下端部３１ａは、屋根梁３６及び下部構造２に対し、それぞれ軸着され、斜め柱３１の中心軸を含む鉛直面内で回動自在に連結されている。このようにして、斜め柱３１と下部構造２、斜め柱３１と屋根梁３６とを回動自在に連結することによって、これらを剛接合した場合に比較し、接合度合いを弱めることができる。これにより、地震時に生じる水平荷重に対する斜め柱３１の抵抗分を低下させることができる。具体的には、斜め柱３１の両端部に生じる曲げモーメント量を低下させることができる。
【００３４】
また、斜め柱３１の傾斜側には、斜め柱３１と下部構造２との間に介装された下部束部材３５をさらに備えている。下部束部材３５を設けることにより、屋根梁３６をある傾斜角度をもった斜め柱３１で支持することができる。下部束部材３５は観客スタンド１の下方に設けることができるので、視野の妨げにならない。
さらに、この下部束部材３５は、下端部３５ｂが下部構造２に剛接合され、上端部３５ａが斜め柱３１の上端部３５ａと下端部３５ｂとの間の中間部に対し、斜め柱３１の中心軸を含む鉛直面内で回動自在に連結されている。このようにして、斜め柱３１と下部束部材３５との接合度合いを弱めることで、地震時に生じる水平荷重に対する下部束部材３５の抵抗分を低下させることができる。具体的には、下部束部材３５の端部に生じる曲げモーメント量を低下させることができる。
【００３５】
また、斜め柱３１から一方の側に向かって延びるスタンド支持梁部材４５をさらに備え、下部束部材３５は、スタンド支持梁部材４５に向かって延び、スタンド支持梁部材４５を支持する梁支持部５０を有している。このようにして、梁支持部５０によって支持されたスタンド支持梁部材４５上に観客席部材４６を設けることで、下部スタンド席２３を斜め柱３１から一方の側に大きく張り出して設置することが可能となる。
【００３６】
また、斜め柱３１の中間部３１ｃと、屋根梁３６との間には、屋根梁３６に対する斜め柱３１の上端部３１ｂの連結位置とテンションケーブル３２の上端部３２ｂの連結位置との間に回動自在に連結された上部束部材３３をさらに備えている。この上部束部材３３により、斜め柱３１が自重によって傾斜側（フィールドＦ側）に傾くのを、上方に引き上げるようにして支持することができる。上部束部材３３は、両端部が回動自在に連結されることで、地震時に生じる水平荷重により上部束部材３３に生じる曲げモーメントを低下させることができる。
【００３７】
（その他の実施形態）
なお、本発明の斜め柱架構は、図面を参照して説明した上述の実施形態に限定されるものではなく、その技術的範囲において様々な変形例が考えられる。
例えば、上記実施形態では、屋根梁３６の下方にサブフロア７０を備えるようにしたが、これに限らない。
図９は、本実施形態に係る斜め柱架構を適用した観客スタンドの変形例を示す斜視図である。この図９に示すように、このようなサブフロア７０を設けずに上部構造３を構成することもできる。
【００３８】
また、例えば、上記実施形態では、テンションケーブル３２を用いたが、引張力を導入できるのであれば、ケーブルに代えて引張力が導入されるロッド等を用いても良い。
また、上記実施形態では、下部構造２上に上部構造３を備えるようにしたが、これに限らない。基礎２０上に上部構造３を直接設けてもよい。
これ以外にも、本発明の主旨を逸脱しない限り、上記実施の形態で挙げた構成を取捨選択したり、他の構成に適宜変更したりすることが可能である。
【符号の説明】
【００３９】
１    観客スタンド
２  下部構造（基部）
３  上部構造
２０  基礎
２３  下部スタンド席
３０  上部架構部材（屋根架構）
３１  斜め柱（３１ａ：下端部、３１ｂ：上端部、３１ｃ：中間部）
３２  テンションケーブル（緊張材）（３２ａ：下端部、３２ｂ：上端部）
３３  上部束部材（３３ａ：下端部、３３ｂ：上端部）
３４  上部観客スタンド
３５  下部束部材（３５ａ：上端部、３５ｂ：下端部）
３６  屋根梁（３６ａ：後端部、６ｂ：先端部）
４５  スタンド支持梁部材  （４５ａ：基端部、４５ｂ：先端部、４５ｃ：中間部）
５０    梁支持部
５０ａ  梁支持部の上端部
Ｆ  フィールド
Ｇ  地盤
【図１】
0006518556.tif 000002
【図２】
0006518556.tif 000003
【図３】
0006518556.tif 000004
【図４】
0006518556.tif 000005
【図５】
0006518556.tif 000006
【図６】
0006518556.tif 000007
【図７】
0006518556.tif 000008
【図８】
0006518556.tif 000009
【図９】
0006518556.tif 000010